(57)【特許請求の範囲】
【請求項１】
磁石からなる柱状の装着具ユニットが複数並列され、柱の側面が身体の一部に接触する磁石健康装着具を構成し、
各装着具ユニットは、断面の一端部において柱の軸方向に沿った凹部を有し、かつ断面の他端部において柱の軸方向に沿った凸部を有し、一方の装着具ユニットの凸部は他方の装着具ユニットの凹部に着脱自在に挿入され、
凸部と凹部とが相互に異なる磁極により引き付け合い、凸部が凹部内で回転移動して一方の装着具ユニットが他方の装着具ユニットに対して軸回りに回転可能であることで、複数の装着具ユニットが環状に連結され、柱の側面が身体の一部に合わせて巻付けられることを特徴とする磁石健康装着具。
【請求項２】
磁石からなる板状の装着具ユニットが複数並列され、板面が身体の一部に接触する磁石健康装着具を構成し、
各装着具ユニットは、板面の一端部において凹部を有し、かつ板面の他端部において凸部を有し、一方の装着具ユニットの凸部は他方の装着具ユニットの凹部に着脱自在に挿入され、
凸部と凹部とが相互に異なる磁極により引き付け合い、凸部が凹部内で面外に回転移動して一方の装着具ユニットが他方の装着具ユニットに対して板の面外に回転可能であることで、複数の装着具ユニットが環状に連結され、板面が身体の一部に合わせて巻付けられることを特徴とする磁石健康装着具。
【請求項３】
請求項１又は２に記載の磁石健康装着具であって、凸部は、先端部が一方の磁極に磁化され、凹部は、凸部の先端部に相対する縁部が他方の磁極に磁化され、凸部の先端部が磁力により凹部の縁部に当接し、凸部の先端部と凹部の縁部との接点を支点として一方の装着具ユニットが他方の装着具ユニットに対して回転することを特徴とする磁石健康装着具。
【請求項４】
請求項３に記載の磁石健康装着具であって、凸部は、先端部が拡大した拡大部を有し、拡大部と凹部の縁部との接点を支点として一方の装着具ユニットが他方の装着具ユニットに対して回転することを特徴とする磁石健康装着具。
【請求項５】
請求項３又は４に記載の磁石健康装着具であって、凸部の先端部は凸状の曲面を有し、凸部の先端部に相対する凹部の縁部は、凸部の先端部の曲面に対向する凹状の曲面を有することを特徴とする磁石健康装着具。
【請求項６】
磁石が嵌め込まれたステンレス材からなる柱状の装着具ユニットが複数並列され、柱の側面が身体の一部に接触する磁石健康装着具を構成し、
各装着具ユニットは、断面の一端部において柱の軸方向に沿った凹部を有し、かつ断面の他端部において柱の軸方向に沿った凸部を有し、一方の装着具ユニットの凸部は他方の装着具ユニットの凹部に着脱自在に挿入され、
一方の装着具ユニットの磁石と、他方の装着具ユニットの磁石との相互に相対する側が相互に異なる磁極により引き付け合い、凸部が凹部内で回転移動して一方の装着具ユニットが他方の装着具ユニットに対して軸回りに回転可能であることで、複数の装着具ユニットが環状に連結され、柱の側面が身体の一部に合わせて巻付けられることを特徴とする磁石健康装着具。
【請求項７】
磁石が嵌め込まれたステンレス材からなる板状の装着具ユニットが複数並列され、板面が身体の一部に接触する磁石健康装着具を構成し、
各装着具ユニットは、板面の一端部において凹部を有し、かつ板面の他端部において凸部を有し、一方の装着具ユニットの凸部は他方の装着具ユニットの凹部に着脱自在に挿入され、
一方の装着具ユニットの磁石と、他方の装着具ユニットの磁石との相互に相対する側が相互に異なる磁極により引き付け合い、凸部が凹部内で面外に回転移動して一方の装着具ユニットが他方の装着具ユニットに対して板の面外に回転可能であることで、複数の装着具ユニットが環状に連結され、板面が身体の一部に合わせて巻付けられることを特徴とする磁石健康装着具。
【請求項８】
請求項６又は７に記載の磁石健康装着具であって、一方の装着具ユニットの凸部の先端部が磁石の磁力により他方の装着具ユニットの凹部の縁部に当接し、凸部の先端部と凹部の縁部との接点を支点として一方の装着具ユニットが他方の装着具ユニットに対して回転することを特徴とする磁石健康装着具。
【請求項９】
請求項８に記載の磁石健康装着具であって、凸部は、先端部が拡大した拡大部を有し、拡大部と凹部の縁部との接点を支点として一方の装着具ユニットが他方の装着具ユニットに対して回転することを特徴とする磁石健康装着具。
【請求項１０】
請求項８又は９に記載の磁石健康装着具であって、凸部の先端部は凸状の曲面を有し、凸部の先端部に相対する凹部の底部は、凸部の先端部の曲面に対向する凹状の曲面を有することを特徴とする磁石健康装着具。
【発明の詳細な説明】
【技術分野】
【０００１】  本発明は、磁石健康装着具に係り、特に、磁石を環状に連結させて手首などに巻付けた磁石健康装着具に関する。
【背景技術】
【０００２】  永久磁石が身体の健康補助作用を発揮し、肩凝り、頭痛、腰痛、眼の疲れといった症状を改善することが知られている。これは、永久磁石が磁場の作用で筋肉内の血行を促進して筋肉の凝りをほぐすことによる。この磁石の健康補助作用を利用した様々な装身具やブレスレットなどの腕輪及び足輪が提案されている。【０００３】  例えば、特許文献１には、装身具およびその装飾物体のコーティング方法が開示されている。ここでは、装身具が、ニッケルチタン超弾性合金製の芯線または透明ウレタンゴム製の芯線に、ポリイミド樹脂を含む塗料でコーティングした磁石ビーズを取付け、接触留め具を用いずに一重の略円環状となることが記載されている。【０００４】  また、特許文献２には、ブレスレット・リングが開示されている。ここでは、Ｃ字形状に湾曲させた板状のリングの内側面の所要箇所に、磁石などの磁極／つぼ刺激部材を固定し、リングの弾性あるいは塑性変形でリング直径を自在に変更できることが記載されている。
【先行技術文献】
【特許文献】
【０００５】
【特許文献１】特開２００１−２７５７２４号公報
【特許文献２】登録実用新案第３０１４８６７号公報
【発明の概要】
【発明が解決しようとする課題】
【０００６】  磁石の健康補助作用を利用した腕輪及び足輪には、腕や足首に巻き付けて接続留め具により身体に装着させる方式を採用するものがある。しかし、この方式によると、接続された腕輪及び足輪の大きさが固定されているため磁石が身体に完全に密着しない場合が生じるという問題がある。【０００７】  また、輪にゴムや紐を用いて接続留め具を省略する方式では、手や足を通過させるためにゴムや紐が伸びた後に手首や足首に密着させるだけの弾性あるいは塑性変形をゴムや紐に持たせなけなければならないという問題がある。【０００８】  また、ブレスレット・リングのようにリングの弾性あるいは塑性変形でリングの直径を変更させる方式では、手首と足首の断面形状に合わせて巻付けることは難しい。また、手首と足首とでは太さが異なるため腕輪及び足輪として共通に使用できないという問題がある。【０００９】  さらに、上述した各方式では肩凝りを緩和させるために首周りに配置する場合、或いは腰痛を緩和させるために腰周りに配置する場合には転用できないという問題がある。【００１０】  本願の目的は、かかる課題を解決し、装着者の手首周り、足首周り、首周り、或いは腰回りに合わせて環長を容易に調節し、磁石を身体の一部に沿って装着させることが可能な磁石健康装着具を提供することである。
【課題を解決するための手段】
【００１１】  上記目的を達成するため、本発明に係る磁石健康装着具は、磁石からなる柱状の装着具ユニットが複数並列され、柱の側面が身体の一部に接触する磁石健康装着具を構成し、各装着具ユニットは、断面の一端部において柱の軸方向に沿った凹部を有し、かつ断面の他端部において柱の軸方向に沿った凸部を有し、一方の装着具ユニットの凸部は他方の装着具ユニットの凹部に着脱自在に挿入され、凸部と凹部とが相互に異なる磁極により引き付け合い、凸部が凹部内で回転移動して一方の装着具ユニットが他方の装着具ユニットに対して軸回りに回転可能であることで、複数の装着具ユニットが環状に連結され、柱の側面が身体の一部に合わせて巻付けられることを特徴とする。【００１２】  上記構成により、磁石健康装着具は、永久磁石が有する磁場の作用で筋肉内の血行を促進して筋肉の凝りをほぐす効果とともに、複数の装着具ユニットの凸部と凹部との磁石の磁極同士が引き付け合うことを利用し、柱状の装着具ユニットを複数並列して連結することができる。また、複数の装着具ユニットの凸部を凹部内において回転移動させることで、装着具ユニットの連結の際に装着具ユニットを環状に連結できる。これにより、装着者の手首周り、足首周り、或いは腰回りに合わせて装着具ユニット巻き付けることができる。また、装着具ユニットの数を調整することで、手首周り、足首周り、首周り、又は腰回りの何れの箇所にも使用でき、さらに、装着具ユニットを身体の一部の断面形状に合わせて装着させることができる。【００１３】  上記目的を達成するため、本発明に係る磁石健康装着具は、磁石からなる板状の装着具ユニットが複数並列され、板面が身体の一部に接触する磁石健康装着具を構成し、各装着具ユニットは、板面の一端部において凹部を有し、かつ板面の他端部において凸部を有し、一方の装着具ユニットの凸部は他方の装着具ユニットの凹部に着脱自在に挿入され、凸部と凹部とが相互に異なる磁極により引き付け合い、凸部が凹部内で面外に回転移動して一方の装着具ユニットが他方の装着具ユニットに対して板の面外に回転可能であることで、複数の装着具ユニットが環状に連結され、板面が身体の一部に合わせて巻付けられることを特徴とする。【００１４】  上記構成により、磁石健康装着具は、永久磁石が有する磁場の作用で筋肉内の血行を促進して筋肉の凝りをほぐす効果とともに、複数の装着具ユニットの凸部と凹部との磁石の相互の磁極が引き付け合うことを利用し、板状の装着具ユニットを複数並列して連結することができる。また、複数の装着具ユニットの凸部を凹部内において回転移動させることで、装着具ユニットの連結の際に装着具ユニットを環状に連結できる。これにより、装着者の手首周り、足首周り、或いは腰回りに合わせて装着具ユニット巻き付けることができる。また、装着具ユニットの数を調整することで、手首周り、足首周り、首周り、又は腰回りの何れの箇所にも使用でき、さらに、装着具ユニットを身体の一部の断面形状に合わせて装着させることができる。【００１５】  また、磁石健康装着具は、凸部は、先端部が一方の磁極に磁化され、凹部は、凸部の先端部に相対する縁部が他方の磁極に磁化され、凸部の先端部が磁力により凹部��縁部に当接し、凸部の先端部と凹部の縁部との接点を支点として一方の装着具ユニットが他方の装着具ユニットに対して回転することが好ましい。すなわち、凸部の棒の先端部を凹部の箱の底部に当接させることで、凸部の先端部と凹部の縁部とが磁力により密着し、隣接する装着具ユニット同士が離間したりずれ落ちたりするのを防止できる。また、隣接する装着具ユニット同士に角度を持たせることができる。【００１６】  また、磁石健康装着具は、凸部は、先端部が拡大した拡大部を有し、拡大部と凹部の縁部との接点を支点として一方の装着具ユニットが他方の装着具ユニットに対して回転することが好ましい。これにより、凸部の先端部と凹部の底部とが磁力により密着すること、及び凸部が凹部内で回転するのを容易にさせることができる。【００１７】  また、磁石健康装着具は、凸部の先端部は凸状の曲面を有し、凸部の先端部に相対する凹部の縁部は、凸部の先端部の曲面に対向する凹状の曲面を有することが好ましい。これにより、凸部が凹部内で回転するのを更に容易にさせることができる。【００１８】  上記目的を達成するため、本発明に係る磁石健康装着具は、磁石が嵌め込まれたステンレス材からなる柱状の装着具ユニットが複数並列され、柱の側面が身体の一部に接触する磁石健康装着具を構成し、各装着具ユニットは、断面の一端部において柱の軸方向に沿った凹部を有し、かつ断面の他端部において柱の軸方向に沿った凸部を有し、一方の装着具ユニットの凸部は他方の装着具ユニットの凹部に着脱自在に挿入され、一方の装着具ユニットの磁石と、他方の装着具ユニットの磁石との相互に相対する側が相互に異なる磁極により引き付け合い、凸部が凹部内で回転移動して一方の装着具ユニットが他方の装着具ユニットに対して軸回りに回転可能であることで、複数の装着具ユニットが環状に連結され、柱の側面が身体の一部に合わせて巻付けられることを特徴とする。【００１９】  上記構成により、磁石健康装着具は、永久磁石が有する磁場の作用で筋肉内の血行を促進して筋肉の凝りをほぐす効果とともに、装着具ユニットに嵌め込まれた磁石が異なる磁極により引き付け合うことを利用し、柱状の装着具ユニットを複数並列して連結することができる。これにより、装着者の手首周り、足首周り、或いは腰回りに合わせて装着具ユニット巻き付けることができる。また、装着具ユニットの数を調整することで、手首周り、足首周り、首周り、又は腰回りの何れの箇所にも使用でき、さらに、装着具ユニットを身体の一部の断面形状に合わせて装着させることができる。【００２０】  上記目的を達成するため、本発明に係る磁石健康装着具は、磁石が嵌め込まれたステンレス材からなる板状の装着具ユニットが複数並列され、板面が身体の一部に接触する磁石健康装着具を構成し、各装着具ユニットは、板面の一端部において凹部を有し、かつ板面の他端部において凸部を有し、一方の装着具ユニットの凸部は他方の装着具ユニットの凹部に着脱自在に挿入され、一方の装着具ユニットの磁石と、他方の装着具ユニットの磁石との相互に相対する側が相互に異なる磁極により引き付け合い、凸部が凹部内で面外に回転移動して一方の装着具ユニットが他方の装着具ユニットに対して板の���外に回転可能であることで、複数の装着具ユニットが環状に連結され、板面が身体の一部に合わせて巻付けられることを特徴とする。【００２１】  上記構成により、磁石健康装着具は、永久磁石が有する磁場の作用で筋肉内の血行を促進して筋肉の凝りをほぐす効果とともに、装着具ユニットに嵌め込まれた磁石が異なる磁極により引き付け合うことを利用し、板状の装着具ユニットを複数並列して連結することができる。これにより、装着者の手首周り、足首周り、或いは腰回りに合わせて装着具ユニット巻き付けることができる。また、装着具ユニットの数を調整することで、手首周り、足首周り、首周り、又は腰回りの何れの箇所にも使用でき、さらに、装着具ユニットを身体の一部の断面形状に合わせて装着させることができる。【００２２】  また、磁石健康装着具は、一方の装着具ユニットの凸部の先端部が磁石の磁力により他方の装着具ユニットの凹部の縁部に当接し、凸部の先端部と凹部の縁部との接点を支点として一方の装着具ユニットが他方の装着具ユニットに対して回転することが好ましい。これにより、凸部の先端部と凹部の底部とが磁力により密着すること、及び凸部が凹部内で回転するのを容易にさせることができる。【００２３】  また、磁石健康装着具は、凸部は、先端部が拡大した拡大部を有し、拡大部と凹部の縁部との接点を支点として一方の装着具ユニットが他方の装着具ユニットに対して回転することが好ましい。これにより、凸部の先端部と凹部の底部とが磁石の磁力により密着すること、及び凸部が凹部内で回転するのを容易にさせることができる。【００２４】  さらに、磁石健康装着具は、凸部の先端部は凸状の曲面を有し、凸部の先端部に相対する凹部の底部は、凸部の先端部の曲面に対向する凹状の曲面を有することが好ましい。これにより、凸部が凹部内で回転するのを更に容易にさせることができる。
【発明の効果】
【００２５】  以上のように、本発明に係る磁石健康装着具によれば、装着者の手首周り、足首周り、首周り、或いは腰回りに合わせて環長を容易に調節し、磁石を身体の一部に沿って装着させることが可能な磁石健康装着具を提供することができる。
【図面の簡単な説明】
【００２６】
【図１】本発明に係る磁石健康装着具の第１の実施形態の概略構成を示す斜視図及び平面図である。
【図２】第１の実施形態の連結部の他の実施例を示す平面詳細図である。
【図３】本発明に係る磁石健康装着具の第２の実施形態の概略構成を示す斜視図及び平面図である。
【図４】本発明に係る磁石健康装着具の第３の実施形態の概略構成を示す斜視図である。
【図５】本発明に係る磁石健康装着具の第４の実施形態の概略構成を示す斜視図である。
【発明を実施するための形態】
【００２７】（第１実施形態）
以下に、図面を用いて本発明に係る磁石健康装着具の実施形態につき、詳細に説明する。図１に、磁石健康装着具１の第１実施形態の概略構成を斜視図及び平面図で示す。図１（ａ）は、磁石健康装着具１の斜視図であり、図１（ｂ）は、装着具ユニット２，２´が連結された状態を示す拡大した平面図であり、図１（ｃ）は、装着具ユニット２及び２´の連結部５ａをさらに拡大した平面図である。
【００２８】  図１（ａ）に示すように、磁石健康装着具１は、磁石からなる柱状の装着具ユニット２が複数並列され、装着具ユニット２が連結手段５により相互に連結されて環状となる。そして、環状の装着具ユニット２の内側の側面６が身体の一部、例えば、腕、足首、首、腰などに接触して巻き付けられる。この装着具ユニット２は、身体の一部のサイズに合わせてその個数が選択されて巻付けられる。従って、手首周り、足首周り、首周り、或いは腰回りの何れの箇所にも使用できる。さらに、磁石健康装着具１を適切な長さに調節することで、装着具ユニット２を身体の一部の断面形状に合わせて装着できる。本実施形態では、磁石はネオジウム磁石を用いるが、これに限らず一般的に磁力を発生させるものであれば良い。
【００２９】  図１（ｂ）に示すように、隣接する装着具ユニット２ａ及び装着具ユニット２ａ´の連結部５ａは、断面の一端部において柱の軸方向（図１（ａ）に示すＸ方向）に沿った凹部４ａと、断面の他端部において柱の軸方向に沿った凸部３ａとから構成される。そして、一方の装着具ユニット２ａの凸部３ａは他方の装着具ユニット２ａ´の凹部４ａに着脱自在に挿入されて連結される。
【００３０】  図１（ｃ）に示すように、この装着具ユニット２ａの凸部３ａは、円柱状の拡大部７ａ及び板状の繋ぎ部８ａから構成される。また、装着具ユニット２ａ´の凹部４ａは、拡大部７ａよりやや大きな径を有する円筒である。そして、凸部３ａの先端部は凸状の曲面を有し、凸部３ａの先端部に相対する凹部４ａの底部は、凸部３ａの先端部の曲面に対向する凹状の曲面を有する。この凹部４ａは、円筒の一部が繋ぎ部８ａを貫通させるために切断されている。そして、この切断された幅は、凸部３ａが凹部４ａから抜けないように拡大部７ａの直径よりも小さな値とする。
【００３１】  本実施形態では、この凸部３ａの先端部は、陽極（＋）１０に磁化され、凸部３ａに対向する凹部４ａの円筒の縁部は、陰極（−）９に磁化される。この凸部３ａの陽極１０と凹部４ａの縁部の陰極９とが相互に引き付け合い、凸部３ａは凹部４ａの円筒の縁部に当接する。これは、凹部４の外縁は一様に陰極９に磁化されるが、磁力は陽極１０と陰極９との距離の２乗に反比例することから、図１（ｃ）の点（Ｐ１）での磁力が最大となり、隣接する装着具ユニット２ａ及び装着具ユニット２ａ´は図１（ｃ）に示す位置関係となる。なお、凸部３ａと凹部４ａの縁部は、異なる磁極であれば逆であっても良い。
【００３２】  この状態で、装着具ユニット２ａ及び装着具ユニット２ａ´は、凸部３ａの先端部である点（Ｐ１）を支点として一方の装着具ユニット２ａが他方の装着具ユニット２ａ´に対し、図１（ｂ）に示すような角度（θ）で回転する。このように、凸部３ａと凹部４ａとが相互に異なる磁極により引き付け合い、凸部３ａが凹部４ａ内で回転移動して一方の装着具ユニット２ａが他方の装着具ユニット２ａ´に対して軸回りに回転可能であることで、複数の装着具ユニット２ａ，２ｂが環状に連結され、側面６が身体の一部に合わせて巻付けられる。
【００３３】  図２に、第１実施形態の連結部５ａの他の実施例を示す。図２（ａ）は、連結部５ｂを示し、図２（ｂ）は、連結部５ｃを示す。図２（ａ）の連結部５ｂについては、拡大部７ｂ及び繋ぎ部８ｂから構成される凸部３ｂは上記実施例の凸部３ａと同様である。一方、凹部４ｂは、上記実施例の凹部４ａように円形断面の一部ではなく、凸部３ｂと接触する扇状部分１１と直線部分１２とから構成される。そして、直線部分１２の幅は、拡大部７ｂの直径よりも大きくなっている。これにより、凹部４ｂの形状が簡素化され、装着具ユニット２ｂを装着具ユニット２ｂ´の側面６から挿入することができる。この場合、連結された着具ユニット２ｂ及び装着具ユニット２ｂ´は、陽極１０及び陰極９が引き合う磁力により相互に離間することが防止される。
【００３４】  図２（ｂ）連結部５ｃは、図２（ｂ）の連結部５ｂの拡大部７ｂを省略し、先端部が円弧状になった繋ぎ部８ｃのみとした場合である。これにより、連結部５ｂに対して凸部３ｃの形状がさらに簡素化され、装着具ユニット２ｃを装着具ユニット２ｃ´の側面６から挿入することができる。この場合も連結された着具ユニット２ｃ及び装着具ユニット２ｃ´は、陽極１０及び陰極９が引き合う磁力により相互に離間することが防止される。
【００３５】（第２実施形態）
図３に、磁石健康装着具の第２実施形態の概略構成を斜視図及び平面図で示す。図３（ａ）は、磁石健康装着具２０の斜視図であり、図３（ｂ）は、装着具ユニット２２，２２´が連結された状態を示す拡大した平面図であり、図３（ｃ）は、装着具ユニット２２及び２２´の連結部２５をさらに拡大した平面図である。
【００３６】  図３（ａ）に示すように、磁石健康装着具２０は、磁石からなる板状の装着具ユニット２２が複数並列され、装着具ユニット２２が連結手段２５により相互に連結されて環状となる。そして、環状の装着具ユニット２２の内側の側面２６が身体の一部、例えば、腕、足首、首、腰などに接触して巻き付けられる。この装着具ユニット２２は、身体の一部のサイズに合わせてその個数が選択されて巻付けられる。従って、手首周り、足首周り、首周り、或いは腰回りの何れの箇所にも使用できる。さらに、装着具ユニット２２を適切な長さに調節することで、装着具ユニット２２を身体の一部の断面形状に合わせて装着できる。本実施形態では、磁石はネオジウム磁石を用いるが、これに限らず一般的に磁力を発生させるものであれば良い。
【００３７】  図３（ｂ）に示すように、隣接する装着具ユニット２２及び装着具ユニット２２´の連結部２５は、断面の一端部において凹部２４と、断面の他端部において凸部２３とから構成される。そして、一方の装着具ユニット２２の凸部２３は他方の装着具ユニット２２´の凹部２４に着脱自在に挿入されて連結される。
【００３８】  図３（ｃ）に示すように、この装着具ユニット２２の凸部２３は、円柱状の拡大部２７及び板状の繋ぎ部２８から構成される。また、装着具ユニット２２´の凹部２４は、拡大部２７よりやや大きな径を有する円筒である。そして、凸部２３の先端部は凸状の曲面を有し、凸部２３の先端部に相対する凹部２４の縁部は、凸部２３の先端部の曲面に対向する凹状の曲面を有する。この凹部２４は、円筒の一部が繋ぎ部２８を貫通させるために切断されている。そして、この切断された幅は、凸部２３が凹部２４から抜けないように拡大部２７の直径よりも小さな値とする。
【００３９】  本実施形態では、この凸部２３の先端部は、陽極（＋）３０に磁化され、凸部２３に対向する凹部２４の円筒の縁部は、陰極（−）２９に磁化される。この凸部２３の陽極３０と凹部２４の縁部の陰極２９とが相互に引き付け合い、凸部２３は凹部２４の円筒の縁部に当接する。これは、凹部２４の外縁は一様に陰極２９に磁化されるが、磁力は陽極３０と陰極２９との距離の２乗に反比例することから、図３（ｃ）の点（Ｐ２）での磁力が最大となり、隣接する装着具ユニット２２ａ及び装着具ユニット２２ａ´は図３（ｃ）に示す位置関係となる。なお、凸部２３と凹部２４の縁部は、異なる磁極であれば逆であっても良い。
【００４０】  この状態で、装着具ユニット２２及び装着具ユニット２２´は、凸部２３の先端部である点（Ｐ２）を支点として一方の装着具ユニット２２が他方の装着具ユニット２２´に対し、面外に回転する。このように、凸部２３と凹部２４とが相互に異なる磁極により引き付け合い、凸部２３が凹部２４内で回転移動して一方の装着具ユニット２２が他方の装着具ユニット２２´に対して面外に回転可能であることで、複数の装着具ユニット２２が環状に連結され、側面２６が身体の一部に合わせて巻付けられる。
【００４１】  本実施形態の連結手段２５は、実施例２５ｂ，２５ｃを有するが、図２に示す連結手段５の実施例５ｂ，５ｃと同様であるため記載を省略する。実施例２５ｂ，２５ｃは、図２中の実施例５ｂ，５ｃの符号を読み替えて連用される。
【００４２】（第３実施形態）
図４に、磁石健康装着具の第３実施形態の概略構成を斜視図で示す。第３実施形態の磁石健康装着具４０は、磁石５１及び５１´が嵌め込まれたステンレス材５２及び５２´からなる柱状の装着具ユニット４２が複数並列され、連結手段４５により連結されて環状となる。すなわち、ステンレス材５２の略中央に明けられた穴に円柱状の磁石５１が嵌合される。そして、環状の装着具ユニット４２、４２´の内側の側面４６が身体の一部、例えば、腕、足首、首、腰などに接触して巻き付けられる。この装着具ユニット４２は、身体の一部のサイズに合わせてその個数が選択されて巻付けられる。従って、手首周り、足首周り、首周り、或いは腰回りの何れの箇所にも使用でき、さらに、装着具ユニット４２を身体の一部の断面形状に合わせて装着させることができる。本実施形態では、磁石５１はネオジウム磁石を用いるが、これに限らず一般的に磁力を発生させるものであれば良い。
【００４３】  図４に示すように、隣接する装着具ユニット４２及び装着具ユニット４２´の連結部４５は、断面の一端部において柱の軸方向（図３に示すＹ方向）に沿った凹部４４と、断面の他端部において柱の軸方向に沿った凸部４３とから構成される。そして、一方の装着具ユニット４２の凸部４３は他方の装着具ユニット４２´の凹部４４に着脱自在に挿入されて連結される。
【００４４】  この装着具ユニット４２の凸部４３は、円柱状の拡大部４７及び板状の繋ぎ部４８から構成される。また、装着具ユニット４２の凹部４４は、拡大部４７よりやや大きな径を有する円筒である。そして、凸部４３の先端部は凸状の曲面を有し、凸部４３の先端部に相対する凹部４４の縁部は、凸部４３の先端部の曲面に対向する凹状の曲面を有する。この凹部４４は、円筒の一部が繋ぎ部４８を貫通させるために切断されている。そして、この切断された幅は、凸部４３が凹部４４から抜けないように拡大部４７の直径よりも小さな値とする。
【００４５】  本実施形態では、磁石５１´のステンレス材５２´側、及び磁石５１のステンレス材５２側は陽極（＋）５０に磁化され、磁石５１及び磁石５１´の反対側は陰極（−）４９に磁化される。この磁石５１´の陽極５０と磁石５１の陰極４９とが相互に引き付け合い、凸部４３の先端部は凹部４４の円筒の縁部に当接する。これは、凸部４３の先端部と凹部４４の円筒の縁部とが接触する点（Ｐ３）が磁石５１´と磁石５１とを結んだ直線上にあり、磁力が最大となるからである。なお、磁石５１´のステンレス材５２´側、及び磁石５１のステンレス材５２側は、異なる磁極であれば逆であっても良い。
【００４６】  この状態で、装着具ユニット４２及び装着具ユニット４２´は、凸部４３の先端部である点（Ｐ３）を支点として一方の装着具ユニット４２が他方の装着具ユニット４２´に対して回転する。このように、凸部４３と凹部４４とが磁石５１，５１´の影響で引き付け合い、凸部４３が凹部４４内で回転移動して一方の装着具ユニット４２が他方の装着具ユニット４２´に対して軸回りに回転可能であることで、複数の装着具ユニット４２が環状に連結され、側面４６が身体の一部に合わせて巻付けられる。
【００４７】  本実施形態の連結手段４５は、実施例４５ｂ，４５ｃを有するが、図２に示す連結手段５の実施例５ｂ，５ｃと同様であるため記載を省略する。実施例４５ｂ，４５ｃは、図２中の実施例５ｂ，５ｃの符号を読み替えて連用される。
【００４８】（第４実施形態）
図５に、磁石健康装着具の第４実施形態の概略構成を斜視図で示す。第４実施形態の磁石健康装着具６０は、磁石７１及び７１´が嵌め込まれたステンレス材７２及び７２´からなる板状の装着具ユニット６２，６２´が複数並列され、連結手段６５により連結されて環状となる。すなわち、ステンレス材７２の略中央に明けられた穴に板状の磁石７１が嵌合される。そして、環状の装着具ユニット６２、６２´の側面６６が身体の一部、例えば、腕、足首、首、腰などに接触して巻き付けられる。この装着具ユニット６２は、身体の一部のサイズに合わせてその個数が選択されて巻付けられる。従って、手首周り、足首周り、首周り、或いは腰回りの何れの箇所にも使用でき、さらに、装着具ユニット６２を身体の一部の断面形状に合わせて装着させることができる。本実施形態では、磁石７１はネオジウム磁石を用いるが、これに限らず一般的に磁力を発生させるものであれば良い。
【００４９】  図５に示すように、隣接する装着具ユニット６２及び装着具ユニット６２´の連結部６５は、断面の一端部に設けられた凹部６４と、断面の他端部に設けられた凸部６３とから構成される。そして、一方の装着具ユニット６２の凸部６３は他方の装着具ユニット６２´の凹部６４に着脱自在に挿入されて連結される。
【００５０】  この装着具ユニット６２の凸部６３は、円柱状の拡大部６７及び板状の繋ぎ部６８から構成される。また、装着具ユニット６２の凹部６４は、拡大部６７よりやや大きな径を有する円筒である。そして、凸部６３の先端部は凸状の曲面を有し、凸部６３の先端部に相対する凹部６４の縁部は、凸部６３の先端部の曲面に対向する凹状の曲面を有する。この凹部６４は、円筒の一部が繋ぎ部６８を貫通させるために切断されている。そして、この切断された幅は、凸部６３が凹部６４から抜けないように拡大部６７の直径よりも小さな値とする。
【００５１】  本実施形態では、磁石７１´のステンレス材７２´側、及び磁石７１のステンレス材７２側は陽極（＋）７０に磁化され、磁石７１及び磁石７１´の反対側は陰極（−）６９に磁化される。この磁石７１´の陽極７０と磁石７１の陰極６９とが相互に引き付け合い、凸部６３の先端部は凹部６４の円筒の縁部に当接する。これは、凸部６３の先端部と凹部６４の円筒の縁部とが接触する点（Ｐ４）が磁石７１´と磁石７１とを結んだ直線上にあり、磁力が最大となるからである。なお、磁石７１´のステンレス材７２´側、及び磁石７１のステンレス材７２側は、異なる磁極であれば逆であっても良い。
【００５２】  この状態で、装着具ユニット６２及び装着具ユニット６２´は、凸部６３の先端部である点（Ｐ４）を支点として一方の装着具ユニット６２が他方の装着具ユニット６２´に対して面外に回転する。このように、凸部６３と凹部６４とが磁石７１，７１´の影響で引き付け合い、凸部６３が凹部６４内で回転移動して一方の装着具ユニット６２が他方の装着具ユニット６２´に対して軸回りに回転可能であることで、複数の装着具ユニット６２が環状に連結され、側面６６が身体の一部に合わせて巻付けられる。
【００５３】  本実施形態の連結手段６５は、実施例６５ｂ，６５ｃを有するが、図２に示す連結手段５の実施例５ｂ，５ｃと同様であるため記載を省略する。実施例６５ｂ，６５ｃは、図２中の実施例５ｂ，５ｃの符号を読み替えて連用される。
【符号の説明】
【００５４】  １，２０，４０，６０  磁石健康装着具、２，２´，２２，２２´，４２，４２´，６２，６２´  装着具ユニット、３，２３，４３，６３  凸部、４，２４，４４，６４  凹部、５，２５，４５，６５  連結部、６，２６，４６，６６  側面、７，２７，４７，６７  拡大部、８，２８，４８，６８  繋ぎ部、９，２９，４９，６９  陰極、１０，３０，５０，７０  陽極、１１  扇状部分、１２  直線部分、５１，５１´，７１，７１´  磁石、５２，５２´，７２，７２´  ステンレス材。
【図１】
0005428012.tif 000002
【図２】
0005428012.tif 000003
【図３】
0005428012.tif 000004
【図４】
0005428012.tif 000005
【図５】
0005428012.tif 000006